(57)【特許請求の範囲】
【請求項１】
遊技球が流下する遊技領域を前面に有した遊技板と、
前記遊技板の前面から突出した入賞用突部と、
前記入賞用突部に形成されて側方に向かって開口した入賞口に開閉扉を設けてなる可変入賞部とを備え、
前記開閉扉が下端部を中心に回動し、通常は、前記入賞口への遊技球の入賞を規制する閉状態に保持され、予め設定された所定条件が成立したときに前記開閉扉が側方に倒れた開状態となって前記開閉扉が有する入賞ガイド面が前記入賞口に向かって下る傾斜状態になり、その入賞ガイド面で遊技球を前記入賞口へと案内する遊技機において、
前記入賞用突部のうち前記入賞口の奥側には、前記入賞口の上側開口縁から奥側に向かって下るように傾斜して前記傾斜状態の前記入賞ガイド面と略平行な状態で対向する或いは少なくとも一部が平行な状態で対向すると共に、その入賞ガイド面との間隔が遊技球が１つずつ通過可能な大きさになる入賞口内上ガイド面が設けられ、
前記入賞用突部のうち前記入賞口の奥側には、前記傾斜状態の前記入賞ガイド面の延長上に配置されると共に前記入賞口の下側開口縁から奥側に向かって下るように傾斜しかつ、その傾斜角が前記入賞ガイド面に比べて僅かに水平に近くなっている入賞口内下ガイド面を備え、
前記入賞用突部のうち前記入賞口の下側の側面構成壁の上端部を外側に折り曲げてなり、上面が前記入賞口内下ガイド面になった入賞口下側突片と、
前記開閉扉の回動中心に対して前記開閉扉とは反対側に突出し、前記開閉扉と一体に回動するストッパ突壁と、
前記入賞口下側突片の下面に形成され、前記開閉扉が前記開状態になったときに前記ストッパ突壁が当接するストッパ受部とを備えたことを特徴とする遊技機。
【請求項２】
前記入賞口内上ガイド面の上端部と前記入賞ガイド面の下端部とに、前記入賞ガイド面が前記傾斜状態になったときに略平行或いは少なくとも一部が平行に対向する平行対向部がそれぞれ設けられ、前記入賞口内上ガイド面の傾斜方向における前記平行対向部の大きさが遊技球の直径の０．５倍以上であることを特徴とする請求項１に記載の遊技機。
【請求項３】
前記入賞ガイド面が前記傾斜状態になったときの前記平行対向部同士の間隔が、遊技球の直径の１．２〜１．８倍であることを特徴とする請求項２に記載の遊技機。
【請求項４】
前記入賞口内上ガイド面と前記入賞口内下ガイド面との間隔は、遊技球の直径の１．２〜１．８倍であることを特徴とする請求項１乃至３の何れか１の請求項に記載の遊技機。
【請求項５】
前記遊技領域には、前記入賞口に対して斜め上方位置から臨み、流下してきた遊技球を受けて前記傾斜状態の前記入賞ガイド面に対して斜め上方位置から遊技球を向かわせる流下傾斜ガイドを備えたことを特徴とする請求項１乃至４の何れか１の請求項に記載の遊技機。
【発明の詳細な説明】
【技術分野】
【０００１】
本発明は、入賞口の開閉扉によって開閉される可変入賞部を備えた遊技機に関する。
【背景技術】
【０００２】
従来、この種の遊技機として、１対の開閉扉を左右対称に備えたチューリップ構造の可変入賞部や、遊技板の前面に開口した横長矩形の入賞口に開閉扉を備えた可変入賞部を備えたものが知られている。そして、これら可変入賞部は、開閉扉が開いてから予め決められた上限数の遊技球が入賞するか、予め決められた規定開放時間が経過したことを条件にして開閉扉が閉じる構成になっている（例えば、特許文献１参照）。
【先行技術文献】
【特許文献】
【０００３】
【特許文献１】特開２０１２−１４８１８７号公報（段落［００１６］、図２）
【発明の概要】
【発明が解決しようとする課題】
【０００４】
しかしながら、上記した従来の遊技機の可変入賞部では、左右対称に開閉扉を有することから仮に片方の開閉扉で球詰まりが起こっても他方の開閉扉側からの遊技球によって球詰まりが解消する可能性があるが、開閉扉が片方しかない片開きの構成の場合は他方からの遊技球はないので球詰まりが起こった場合に解消し難く、開閉扉の開放角度と入賞口内の入賞ガイド面の傾斜角度が下流側になるにしたがって小さくなる構成だと球詰まりしてしまう虞があった。
【０００５】
本発明は、上記事情に鑑みてなされたもので、可変入賞部が片開きの開閉扉を有する構成の場合における球詰まりの抑制を行うことが可能な遊技機の提供を目的とする。
【課題を解決するための手段】
【０００６】
上記目的を達成するためになされた請求項１の発明に係る遊技機は、遊技球が流下する遊技領域を前面に有した遊技板と、遊技板の前面から突出した入賞用突部と、入賞用突部に形成されて側方に向かって開口した入賞口に開閉扉を設けてなる可変入賞部とを備え、開閉扉が下端部を中心に回動し、通常は、入賞口への遊技球の入賞を規制する閉状態に保持され、予め設定された所定条件が成立したときに開閉扉が側方に倒れた開状態となって開閉扉が有する入賞ガイド面が入賞口に向かって下る傾斜状態になり、その入賞ガイド面で遊技球を入賞口へと案内する遊技機において、入賞用突部のうち入賞口の奥側には、入賞口の上側開口縁から奥側に向かって下るように傾斜して傾斜状態の入賞ガイド面と略平行な状態で対向する或いは少なくとも一部が平行な状態で対向すると共に、その入賞ガイド面との間隔が遊技球が１つずつ通過可能な大きさになる入賞口内上ガイド面が設けられ、入賞用突部のうち入賞口の奥側には、傾斜状態の入賞ガイド面の延長上に配置されると共に入賞口の下側開口縁から奥側に向かって下るように傾斜しかつ、その傾斜角が入賞ガイド面に比べて僅かに水平に近くなっている入賞口内下ガイド面を備え、入賞用突部のうち入賞口の下側の側面構成壁の上端部を外側に折り曲げてなり、上面が入賞口内下ガイド面になった入賞口下側突片と、開閉扉の回動中心に対して開閉扉とは反対側に突出し、開閉扉と一体に回動するストッパ突壁と、入賞口下側突片に下面に形成され、開閉扉が開状態になったときにストッパ突壁が当接するストッパ受部とを備えたところに特徴を有する。
【０００７】
請求項２の発明は、請求項１に記載の遊技機において、入賞口内上ガイド面の上端部と入賞ガイド面の下端部とに、入賞ガイド面が傾斜状態になったときに略平行或いは少なくとも一部が平行に対向する平行対向部がそれぞれ設けられ、入賞口内上ガイド面の傾斜方向における平行対向部の大きさが遊技球の直径の０．５倍以上であるところに特徴を有する。
【０００８】
請求項３の発明は、請求項２に記載の遊技機において、入賞ガイド面が傾斜状態になったときの平行対向部同士の間隔が、遊技球の直径の１．２〜１．８倍であるところに特徴を有する。
【００１０】
請求項４の発明は、請求項１乃至３の何れか１の請求項に記載の遊技機において、入賞口内上ガイド面と入賞口内下ガイド面との間隔は、遊技球の直径の１．２〜１．８倍であるところに特徴を有する。
【００１２】
請求項５の発明は、請求項１乃至４の何れか１の請求項に記載の遊技機において、遊技領域には、入賞口に対して斜め上方位置から臨み、流下してきた遊技球を受けて傾斜状態の入賞ガイド面に対して斜め上方位置から遊技球を向かわせる流下傾斜ガイドを備えたところに特徴を有する。
【発明の効果】
【００１３】
［請求項１の発明］
請求項１の遊技機では、入賞用突部のうち入賞口の奥側には、入賞口の上側開口縁から奥側に向かって下るように傾斜して傾斜状態の入賞ガイド面と略平行な状態で対向する或いは少なくとも一部が平行な状態で対向すると共に、その入賞ガイド面との間隔が遊技球が１つずつ通過可能な大きさになる入賞口内上ガイド面が設けられていることによって、球詰まりを抑制することが可能となる。さらに、請求項１の遊技機では、入賞口の奥側における傾斜状態の入賞ガイド面の延長上に、奥側に向かって下るように傾斜しかつ、その傾斜角が入賞ガイド面に比べて僅かに水平に近くなっている入賞口内下ガイド面を備えたことで、遊技球の入賞口奥側への取り込み速度が抑えられ、単位時間当たりの可変入賞部への最大入賞数のばらつきがより一層抑えられる。また、請求項１の構成によれば、上面が入賞口内下ガイド面になっている入賞口下側突片の下面側のストッパ受部に、開閉扉と一体に回転するストッパ突壁が当接して、開閉扉が開状態に位置決めされるので、開閉扉が開状態で傾斜状態になる入賞ガイド面と入賞口内下ガイド面との相対的角度が安定する。
【００１４】
［請求項２〜４の発明］
請求項２の遊技機のように、入賞口内上ガイド面と入賞ガイド面のうち略平行或いは少なくとも一部が平行に対向する平行対向部の大きさが、入賞口内上ガイド面の傾斜方向で遊技球の直径の０．５倍以上であれば、入賞口への遊技球の取り込み速度のばらつきを抑えることができる。また、請求項３の遊技機のように、入賞ガイド面が傾斜状態になったときの平行対向部同士の間隔が遊技球の直径の１．２〜１．８倍であれば、遊技球がスムーズに通過することができる。また、入賞口内上ガイド面と入賞口内下ガイド面との間隔は遊技球の直径の１．２〜１．８倍であることが好ましい。
【００１６】
［請求項５の発明］
請求項５の構成によれば、流下傾斜ガイドから傾斜状態の入賞ガイド面に向かった遊技球は、入賞ガイド面から入賞口へとスムーズに入賞する。
【図面の簡単な説明】
【００１７】
【図１】本発明の第１実施形態に係るパチンコ遊技機の遊技板の正面図
【図２】遊技領域における右側の側部領域の部分拡大図
【図３】第２大入賞口が開いた状態の右側の側部領域の部分拡大図
【図４】第２大入賞口が閉じた状態の右側の側部領域の部分拡大図
【図５】賞球処理部品の平面図
【図６】第２大入賞口が開いた状態のサイド突部の断面図
【図７】第２大入賞口が閉じた状態のサイド突部の断面図
【図８】第２実施形態に係る右側の側部領域の部分拡大図
【図９】本発明の変形例に係る（Ａ）入賞口が閉じた状態のサイド突部の断面図、入賞口が開いた状態のサイド突部の断面図
【図１０】本発明の変形例に係る（Ａ）入賞口が閉じた状態のサイド突部の断面図、入賞口が開いた状態のサイド突部の断面図
【発明を実施するための形態】
【００１８】
以下、本発明を適用したパチンコ遊技機に係る第１実施形態を図１〜図５に基づいて説明する。なお、以下の説明において、遊技者がパチンコ遊技機と対向する方向を「前後方向」といい、パチンコ遊技機のうち遊技者と対向する面を「前面」、その反対側の面を「後面」ということとする。また、パチンコ遊技機を構成する各部位又は各部品の説明において「右側」とは、パチンコ遊技機の前面側からその各部位又は各部品を見た場合の右側をいい、その反対側を「左側」ということとする。
【００１９】
本実施形態のパチンコ遊技機は、図１に示した遊技板１１を図示しない遊技枠に固定して備え、その遊技枠のガラス窓を通して遊技板１１の遊技領域Ｒ１を視認することができるようになっている。そして、遊技枠の前面右下角部に備えた操作ノブを操作することで、遊技球が、順次、遊技領域Ｒ１に向けて弾き出される。
【００２０】
遊技領域Ｒ１は、遊技板１１の前面に備えたガイドレール１２によって囲まれている。ガイドレール１２は、帯状の金属板を円弧状に湾曲させてなる第１〜第３の板金レール１２Ａ，１２Ｂ，１２Ｃによって構成されている。第１板金レール１２Ａは、左半円部１２Ｄと右下底部１２Ｅと右湾曲部１２Ｆとからなり、遊技領域Ｒ１の上部を除く全体を包囲している。左半円部１２Ｄは、円を縦割りしたときの左側半円の上端部を切除した形状をなし、遊技領域Ｒ１の左上部分から下端部までを左側方から覆っている。右下底部１２Ｅは、左半円部１２Ｄの下端部から水平方向に対して緩やかに右上がりに傾斜して延びかつ上端部が湾曲して鉛直上方を向いている。右湾曲部１２Ｆは、右下底部１２Ｅの上端から鉛直上方に延びてからその鉛直方向に対して緩やかに左に傾斜してから、再度、短く鉛直に延び、上端部は右側に屈曲している。
【００２１】
第２板金レール１２Ｂは、一端部が右湾曲部１２Ｆの上端に突き合わされると共に、円弧状をなして遊技領域Ｒ１の上部を覆うと共に、第１板金レール１２Ａの左上端部の外側を通過して遊技板１１の下端まで延びている。また、第３板金レール１２Ｃは、第１板金レール１２Ａの左半円部１２Ｄに外側（左側）から重ねられた円弧部の下端にその円弧部の接線上に延びた直線部を備え、その直線部が遊技板１１の下端まで延びている。そして、前記した操作ノブを操作することで遊技板１１の下方から遊技球が発射されて、その遊技球が第２と第３の板金レール１２Ｂ，１２Ｃの間を上方に向かい、第２板金レール１２Ｂと第１板金レール１２Ａの左上端部との間の入場口１２Ｊを通過して遊技領域Ｒ１内に進入して流下する。
【００２２】
遊技領域Ｒ１には、例えば、その下側略１／５より上側の領域で半分以上の開口面積を占める貫通孔（図示せず）が形成され、その貫通孔に前方から表示装飾枠２３が嵌め込まれている。また、遊技板１１の後面側における貫通孔の開口縁には、液晶モジュール１３Ｍ（詳細には、ＴＦＴ−ＬＣＤモジュール）が取り付けられ、その液晶モジュール１３Ｍの液晶画面１３Ｇが表示装飾枠２３を通して前方に臨んでいる。そして、表示装飾枠２３の内側の表示窓２３Ｗとその奥側の液晶画面１３Ｇとからメイン表示演出部１３が構成されている。
【００２３】
遊技板１１は、透光部材の一部に装飾用の図柄を付した構造になっている。また、液晶モジュール１３Ｍの液晶画面１３Ｇは、表示装飾枠２３の表示窓２３Ｗより大きな図１の破線で示した四角形Ｓになっていて、液晶画面１３Ｇの一部を遊技板１１を通して透視することができる。特に、遊技領域Ｒ１のうち右側の側部領域における下端部で液晶画面１３Ｇの右下角部近傍を遊技板１１を通して透視することができる。
【００２４】
表示装飾枠２３のうち上辺部分及び両側辺部分には、遊技板１１より前方に突出した進入規制壁２３Ｄが備えられて、表示窓２３Ｗの上辺と両側辺から表示窓２３Ｗ内に遊技球が進入することを規制している。
【００２５】
表示装飾枠２３の下辺部内面は、下方に膨らむように湾曲したステージ２３Ｓになっている。また、進入規制壁２３Ｄの左側下部には、遊技領域Ｒ１を流下する遊技球をステージ２３Ｓに導入する導入路２３Ｇが設けられている。そして、導入路２３Ｇを通過した遊技球がステージ２３Ｓ上を転動し、ステージ２３Ｓの中央部に備えた複数の排出部２３Ｔの何れかから前方に落下するようになっている。
【００２６】
進入規制壁２３Ｄの上面は、左側端部を除く全体が上方に膨らむように湾曲していて、その進入規制壁２３Ｄとガイドレール１２との間に遊技球が１つずつ通過可能な上部通路２３Ｕになっている。
【００２７】
図２〜図４には、遊技領域Ｒ１の右側部分が拡大して示されると共に、遊技板１１の前面から突出した部分（遊技球が前方を通過できない程度の突出部分。釘は除く）に実線のハッチングが付されている。図２に示すように、進入規制壁２３Ｄの右側上部は、ガイドレール１２の第１板金レール１２Ａのうち上端寄り位置から上下方向の中間部に亘る範囲で鉛直方向に対して傾斜している部分に宛がわれている。そして、その進入規制壁２３Ｄの右側上部に、蛇行ガイド部２３Ｅが形成されている。蛇行ガイド部２３Ｅは、遊技球が１つずつ通過可能な幅の蛇行した溝状になっている。詳細には、蛇行ガイド部２３Ｅの溝におけるメイン表示演出部１３側の一方の内側面２３Ｅ１は、右下がりの階段状をなし、その階段の各段差面における下端部には傾斜面が形成されている。また、他方の内側面２３Ｅ２も階段形状をなして、その階段の各段差面における上端部に傾斜面が形成されている。
【００２８】
進入規制壁２３Ｄに右側部分における表示装飾枠２３の下方には、ガイドレール１２の右湾曲部１２Ｆに向かって突出した第１山部２４と第２山部２５とが設けられている。それら第１及び第２の山部２４，２５の頂点位置は、遊技板１１の左右方向で略同一或いは第１の山部２４の方が第２の山部２５よりも左右方向に張り出して設けられている。また、第１及び第２の山部２４，２５は、共に上側に右下がりの傾斜面、下側に左下がりの傾斜面を有している。各傾斜面は水平方向に対して４５度〜６０度の角度で傾斜している。そして、第２山部２５における上側の傾斜面が第２傾斜ガイド部２５Ａになっていて、その第２傾斜ガイド部２５Ａの下り方向の長さは、遊技球の直径の１〜２倍程度になっている。また、進入規制壁２３Ｄの右側下部の外面は、第２山部２５の下側の傾斜面の下端部から鉛直下方に延びてから、遊技領域Ｒ１の左右方向の中央より位置まで左下方に向かって延びている。
【００２９】
図１に示すように、遊技領域Ｒ１のうち表示装飾枠２３の左側の側部領域には、第１始動ゲート１８Ａと風車１７とが設けられている。第１始動ゲート１８Ａは、遊技球が通過可能な門形構造をなし、進入規制壁２３Ｄの外面のうち左側上端寄り位置に配置されて進入規制壁２３Ｄと一体的に構成されている。また、風車１７は、表示装飾枠２３の左側の側部領域の下端部に配置され、遊技球の当接により任意の方向に回転する。
【００３０】
表示装飾枠２３の横方向の中央下方には、第１始動入賞口１４Ａと第２始動入賞口１４Ｂとが上下並べて設けられている。第１始動入賞口１４Ａは、遊技板１１の前面から突出し、上方に向かって常時開放したポケット構造をなしている。第２始動入賞口１４Ｂは、第１始動入賞口１４Ａの真下に配置され、遊技板１１の前面に開口している。また、第２始動入賞口１４Ｂには、その下側開口縁を中心に前後に回動する可動扉１４Ｃが設けられ、通常は、可動扉１４Ｃが起立して第２始動入賞口１４Ｂへの遊技球の入球（入賞）が規制されている。そして、後述する所定の条件が成立すると可動扉１４Ｃが前に倒れ、その可動扉１４Ｃを案内にして遊技球が第２始動入賞口１４Ｂに入賞可能になる。また、第２始動入賞口１４Ｂの両横と真下とには、アウト口１６が開口していて、第１及び第２の始動入賞口１４Ａ，１４Ｂを含む何れの入賞口にも入賞できなかった遊技球がアウト口１６に取り込まれる。なお、第２始動入賞口１４Ｂの真下のアウト口１６に合わせて、ガイドレール１２における左半円部１２Ｄと右下底部１２Ｅとの境界部分には、下方に膨らんだアウト口導入部１２Ｈが設けられている。
【００３１】
遊技領域Ｒ１のうち表示装飾枠２３の左下領域には、左側の側部領域の下端部から第１始動入賞口１４Ａに向かって下るように傾斜する線上に複数の釘９０が並べられて第１ガイド釘列９１が形成され、その第１ガイド釘列９１の下方には、第１ガイド釘列９１と平行に複数の釘９０が並べられて第２ガイド釘列９２が形成されている。そして、第１ガイド釘列９１により遊技球が第１始動入賞口１４Ａに案内され、第２ガイド釘列９２により遊技球が第２始動入賞口１４Ｂに案内される。また、第１及び第２のガイド釘列９１，９２には、途中部分に遊技球が通過可能な断絶部が設けられている。さらに、第２ガイド釘列９２の下方には、一般入賞口２０Ａが設けられ、その一般入賞口２０Ａは、遊技板１１の前面から突出し、上方に常時開放したポケット構造をなしている。
【００３２】
図２に示すように、遊技領域Ｒ１のうち表示装飾枠２３の右下領域には、遊技領域Ｒ１の右側の側部領域を流下してきた遊技球を第２始動入賞口１４Ｂに案内するための右下端ガイド部９５が設けられている。右下端ガイド部９５は、樹脂製のガイド板９３と、複数の釘９０から構成されたガイド釘列９４とからなる。ガイド板９３は、ガイドレール１２の右下底部１２Ｅにおける上端寄り位置から遊技領域Ｒ１の左右方向の中央寄り位置まで緩やかに傾斜して真っ直ぐ延びている。なお、ガイド板９３の上端部から斜め上方にガイド板９３Ａが延び、そのガイド板９３Ａがガイドレール１２における右下底部１２Ｅの上部内面に重ねられている。なお、ガイド釘列９４は、ガイド板９３の下端部から第２始動入賞口１４Ｂの側縁部までガイド板９３より急な角度で傾斜して延びている。なお、ガイド釘列９４の途中には、遊技球が通過可能な断絶部９４Ｄが形成され、その断絶部９４Ｄを通過した遊技球はアウト口１６に向かうようになっている。
【００３３】
遊技領域Ｒ１における表示装飾枠２３の右下領域には、ガイド板９３の上方に第１大入賞口１５が設けられると共に、その第１大入賞口１５の上方に第２始動ゲート１８Ｂ、さらに、その第２始動ゲート１８Ｂの右側方に一般入賞口２０Ｂが設けられている。
【００３４】
第１大入賞口１５は、横長形状をなして遊技板１１の前面に開口している。また、第１大入賞口１５には、その下側開口縁を中心に前後に回動する可動扉１５Ｔが設けられ、通常は、可動扉１５Ｔが起立して第１大入賞口１５への遊技球の入球（入賞）が規制されている。そして、後述する所定の条件が成立すると可動扉１５Ｔが前に倒れ、その可動扉１５Ｔを案内にして遊技球が第１大入賞口１５に入賞可能になる。
【００３５】
第２始動ゲート１８Ｂは、前記した第１始動ゲート１８Ａと同様に、遊技球が通過可能な門形構造をなし、第１大入賞口１５の左右方向の中央の上方に配置されている。一般入賞口２０Ｂは、前述の一般入賞口２０Ａと同様に、上方に向かって常時開放したポケット構造をなし、第１大入賞口１５の上方から右側方に外れた位置に配置されている。
【００３６】
図３，４に示すように、遊技領域Ｒ１における表示装飾枠２３の右側の側部領域には、表示装飾枠２３より下方でかつ第２始動ゲート１８Ｂ及び一般入賞口２０Ｂより上方となる位置に本発明に係る「入賞用突部」としてのサイド突部３０が設けられている。また、サイド突部３０の上方には、ガイドレール１２（詳細には、右湾曲部１２Ｆ）の内面１２Ｓから斜め下方に張り出すように２つの釘９０が並べられて張出部９６が構成されている。張出部９６を構成する釘９０，９０同士の間、及び、釘９０とガイドレール１２との間は、遊技球が通過不能な程度に接近している。また、張出部９６の先端に対して表示装飾枠２３側の斜め下方には、遊技球１つ分以上の間隔を開けて釘９０Ｓが設けられている。その釘９０Ｓは、遊技領域Ｒ１における表示装飾枠２３の右側方の側部領域を表示装飾枠２３側の流下経路Ｌ１と、ガイドレール１２側の流下経路Ｌ２とに分割する役割を果たしている。そして、その釘９０Ｓと張出部９６とから第１傾斜ガイド部９７が形成され、その第１傾斜ガイド部９７は、蛇行ガイド部２３Ｅを通過してきた遊技球を受けて前述した第２傾斜ガイド部２５Ａ側に向けて案内可能に構成されている。また、第２傾斜ガイド部２５Ａは、第１傾斜ガイド部９７から受けた遊技球を後述する第２大入賞口３１側へと案内可能に構成されている。この第２傾斜ガイド部２５Ａが本発明に係る「流下傾斜ガイド」に相当する。
【００３７】
サイド突部３０は、樹脂製であって、遊技板１１の前面から突出し、上下方向に延びた形状をなしてガイドレール１２に内側から宛がわれている。詳細には、図７に示すように、サイド突部３０は、水平方向に対して僅かに左下がりに傾斜した天井壁３０Ａを備え、その天井壁３０Ａの右端部からサイド突部３０全体の下端部まで右側壁３０Ｂが延びている。サイド突部３０全体の下端部には、二重構造の下端壁３０Ｃが備えられ、下端壁３０Ｃからサイド突部３０の上下方向における中間位置まで左側壁３０Ｄが延びている。また、左側壁３０Ｄの上端部には、サイド突部３０を遊技板１１に固定するための螺子止リング部３０Ｒが備えられ、その螺子止リング部３０Ｒの左側部に第１ストッパ３０Ｅが設けられている。第１ストッパ３０Ｅは、左側壁３０Ｄ上端の螺子止リング部３０Ｒから左側方に張り出してから垂直上方に屈曲した構造をなし、その第１ストッパ３０Ｅの上端部から補強屈曲壁３０Ｆが斜め左下方に延びてから右側に折り返されて左側壁３０Ｄの上下方向の中間部分に繋がっている。また、左側壁３０Ｄ上端の螺子止リング部３０Ｒから右斜め上方に開口下壁３０Ｇが延びて，上端部が左側に折り返されて本発明に係る入賞口下側突片３０Ｈになっている。入賞口下側突片３０Ｈは、水平方向に対して僅かに左上がりに傾斜し、その入賞口下側突片３０Ｈの上面が本発明に係る入賞口内下ガイド面３０Ｊになっている。また、入賞口下側突片３０Ｈの下面からは第２ストッパ３０Ｋが突出している。なお、螺子止リング部３０Ｒは、左側壁３０Ｄの上端以外にも所定箇所に複数設けられている。
【００３８】
天井壁３０Ａの下面左寄り位置からは左上部側壁３０Ｌが垂直下方に垂下され、その左上部側壁３０Ｌの下端部を右側に屈曲させて右側壁３０Ｂまで延びた入賞ガイド壁３０Ｍが形成されている。その入賞ガイド壁３０Ｍは右下がりに傾斜していて、入賞ガイド壁３０Ｍの下面が本発明に係る入賞口内上ガイド面３０Ｎになっている。そして、入賞ガイド壁３０Ｍと左上部側壁３０Ｌとの角部と入賞口下側突片３０Ｈの先端との間が、本発明に係る「入賞口」に相当する第２大入賞口３１になっている。なお、右側壁３０Ｂのうち入賞ガイド壁３０Ｍが接続された部分の下側は、僅かに外側に膨らんだ形状になっている。また、左側壁３０Ｄの上端部とそれに対向する右側壁３０Ｂの中間部とには、遊技球の通過を検出する検出スイッチ３０Ｐが取り付けられている。
【００３９】
サイド突部３０には、図７に示された天井壁３０Ａ，右側壁３０Ｂ、下端壁３０Ｃ、左側壁３０Ｄ等を前後に挟むようにして前面壁３０Ｓと後面壁３０Ｕとが設けられている。そして、後面壁３０Ｕの下端部に遊技球を遊技板１１の後側に取り込むための図示しない取込開口が形成され、前面壁３０Ｓの下端部には、遊技球を取込開口に案内する図示しない三角リブが備えられている。また、前面壁３０Ｓ及び後面壁３０Ｕは、開口下壁３０Ｇの側方でサイド突部３０から左側に張り出していて、それら前面壁３０Ｓ及び後面壁３０Ｕの張り出し部の間に回動支持シャフト３２Ｐが差し渡されている。そして、その回動支持シャフト３２Ｐに開閉扉３２が回動可能に取り付けられている。
【００４０】
開閉扉３２は、互いに対向した第１扉構成壁３２Ａと第２扉構成壁３２Ｂとの下端部間に回動支持シャフト３２Ｐを貫通した図示しないシャフト挿通部を備えている。第１扉構成壁３２Ａは、全体が平板状をなして回動支持シャフト３２Ｐより右側に配置され、第２扉構成壁３２Ｂは、上下方向の中間位置より下側が第１扉構成壁３２Ａと平行な平板状をなし、上下方向の中間位置より上側が上方に向かって第１扉構成壁３２Ａ側に接近するように湾曲して、第１扉構成壁３２Ａの上端部に繋がっている。また、図示しないシャフト挿通部のうち第２扉構成壁３２Ｂ寄り位置からは、第２扉構成壁３２Ｂと反対側にストッパ突壁３３が突出している。そして、ストッパ突壁３３が第１ストッパ３０Ｅに当接した状態が、本発明に係る開閉扉３２の閉状態に相当し、その開閉扉３２の閉状態になると、開閉扉３２により第２大入賞口３１の全体が閉塞される。なお、閉状態になると開閉扉３２の上端部が天井壁３０Ａのうち左上部側壁３０Ｌより左側に突出した庇部３０Ｔの下方に収まる。
【００４１】
また、開閉扉３２が閉状態で半時計回りに回動すると、図６に示すように、ストッパ突壁３３が第２ストッパ３０Ｋに当接することで開放角度が規制され開閉扉３２が開状態になる。開状態になると、第１扉構成壁３２Ａの外面である入賞ガイド面３２Ｇが第２大入賞口３１に向かって下る傾斜状態になる。ここで、入賞ガイド面３２Ｇが傾斜状態になると、その入賞ガイド面３２Ｇと入賞口内上ガイド面３０Ｎとは略平行（例えば、±１０度以内）になり、また、入賞ガイド面３２Ｇの下端部と入賞口内上ガイド面３０Ｎの上端部とが略平行（例えば、±１０度以内）な状態で対向する或いは少なくとも一部が平行な状態で対向する。また、対向する入賞ガイド面３２Ｇの下端部と入賞口内上ガイド面３０Ｎの上端部とは、本発明に係る平行対向部３２Ｚ，３０Ｚをなし、それら平行対向部３２Ｚ，３０Ｚにおける入賞口内上ガイド面３０Ｎの傾斜方向における大きさは、遊技球の直径の０．５倍以上になっている。また、平行対向部３２Ｚ，３０Ｚ同士の間隔は、遊技球の直径の１．２〜１．８倍程度の大きさをなして、遊技球が１つずつ通過することができる。さらに、入賞ガイド面３２Ｇが傾斜状態になると、入賞口内下ガイド面３０Ｊが入賞ガイド面３２Ｇの延長上に配置され、入賞口内下ガイド面３０Ｊは、入賞ガイド面３２Ｇに比べて僅かに水平に近い傾斜角で傾斜して遊技球を案内する。また、入賞口内下ガイド面３０Ｊと入賞口内上ガイド面３０Ｎとの間隔は、遊技球の直径の１．２〜１．８倍程度の大きさになっている。また、開閉扉３２の上方に釘９０Ｓのような流路を分割する部材が備えられた場合に、開閉扉３２が開状態になると、複数ルートから遊技球が入賞ガイド面３２Ｇに流下し、同時に第２大入賞口３１に複数の球が流れ込む（２個球が発生する）ことで球詰まりが起きやすくなるが、入賞ガイド面３２Ｇと入賞口内上ガイド面３０Ｎの少なくとも一部が略平行（例えば±１０度以内）な状態に構成することで球詰まりを起き難くすることが可能となる。
【００４２】
図５には、遊技板１１の右下裏側に配置された賞球処理部品４０が示されている。賞球処理部品４０は、遊技板１１を通して視認可能な液晶モジュール１３Ｍの右下角部に隣接するように配置され、同図の左側から順番に、光装飾部４１，第１大入賞処理部４２，一般入賞処理部４３及び第２大入賞処理部４４を備えている。光装飾部４１は、図示しないＬＥＤを内蔵し、遊技板１１を裏面側から装飾する。第１大入賞処理部４２、一般入賞処理部４３、第２大入賞処理部４４は、それぞれ第１大入賞口１５、一般入賞口２０Ａ、第２大入賞口３１に入賞した入賞球を図示しない遊技球回収路に案内するものである。また、第２大入賞処理部４４内には、非Ｖ入賞孔４５ＡとＶ入賞孔４５Ｂとが備えられている。より具体的には、第２大入賞処理部４４は、途中でクランク状に屈曲していて、その屈曲部分より下流側に非Ｖ入賞孔４５ＡとＶ入賞孔４５Ｂを横並びに備えている。また、Ｖ入賞孔４５Ｂの上方にスライド蓋４６が進退してＶ入賞孔４５Ｂが開閉されるようになっている。そして、開閉扉３２が開いて第２大入賞口３１に入賞した遊技球が取込口４４Ａから第２大入賞処理部４４に取り込まれて、非Ｖ入賞孔４５ＡとＶ入賞孔４５Ｂとの何れかを通過する。このとき、１度遊技球がＶ入賞孔４５Ｂを通過すると、Ｖ入賞孔４５Ｂはスライド蓋４６によって閉じられるようになっている。
【００４３】
上記した第１及び第２の始動入賞口１４Ａ，１４Ｂ、一般入賞口２０Ａ，２０Ｂに遊技球が入賞した場合には、パチンコ遊技機の前面に備えた図示しない受け皿に例えば、３個の遊技球が賞球として払い出され、第１と第２の大入賞口１５，３１に遊技球が入賞した場合には、１５個の遊技球が賞球として払い出される。遊技者は、以下説明するパチンコ遊技機の遊技内容の下で、より多くの賞球を獲得することを競って遊技を行う。
【００４４】
そのパチンコ遊技機の遊技内容は以下の通りである。本実施形態のパチンコ遊技機では、普図判定と特図判定とを行って遊技が進行する。普図判定は、第２始動入賞口１４Ｂを開くか否かをランダムに決定する判定であり、第１及び第２の始動ゲート１８Ａ，１８Ｂへの入賞に起因して、普図判定を行う権利である「普図当否判定権」が発生する。普図当否判定権は、最大、４つまで保留され、発生順に１つずつ使用されて普図判定が行われる。なお、普図当否判定権の数は、遊技板１１上に設けた所定のＬＥＤによって表示される。また、普図判定報知演出は、図示しないが液晶画面１３Ｇ上で行われる。
【００４５】
普図判定が行われると、所定の普図判定報知演出が行われてから普図判定の判定結果が報知され、その判定結果が当りであると、第２始動入賞口１４Ｂの可動扉１４Ｃが所定の期間に亘って開かれる。また、このパチンコ遊技機は、時短状態と非時短状態とに切り替わるようになっている。具体的には、第１及び第２の始動ゲート１８Ａ，１８Ｂの何れに入賞した場合も、その入賞時が時短状態か非時短状態かに拘わらず、普図判定を行ったときが非時短状態であれば、１０００〜２００００［ｍｓ］の普図判定報知演出後に判定結果が報知され、９９／１００の確率で外れになる一方、１／１００の確率で当りになり、当りになると第２始動入賞口１４Ｂが１回だけ９０［ｍｓ］間、開く。一方、普図判定を行ったときが時短状態であれば、１０００［ｍｓ］の普図判定報知演出後に判定結果が報知され、１／１００の確率で外れになる一方、９９／１００の確率で当りになり、当りになると第２始動入賞口１４Ｂが３回に亘って５００［ｍｓ］間、開く。
【００４６】
特図判定は、第１大入賞口１５及び第２大入賞口３１を開く等する、後に詳説する大当り遊技を実行するか否かをランダムに決定する判定であり、第１及び第２の始動入賞口１４Ａ，１４Ｂの何れかへの入賞に起因して、特図判定を行う権利である「特図当否判定権」が発生する。その特図当否判定権は、それぞれ最大、４つまで保留され、発生順に１つずつ使用されて特図判定が行われる。また、保留されている特図当否判定権の数は、非時短状態では、第１始動入賞口１４Ａへの入賞に係る特図当否判定権のみが液晶画面１３Ｇに表示され、時短状態では、第２始動入賞口１４Ｂへの入賞に係る特図当否判定権のみが液晶画面１３Ｇに表示される。なお、第１及び第２の始動入賞口１４Ａ，１４Ｂに対応した保留数は、図１に示した遊技領域Ｒ１外のＬＥＤ３９群によっても報知される。
【００４７】
また、特図判定報知演出は、第１及び第２の始動入賞口１４Ａ，１４Ｂへの入賞の何れの場合も、図１に示すように、液晶画面１３Ｇに横並びに表示した３つの左、中、右の特別図柄１３Ａ，１３Ｂ，１３Ｃ等によって行われる。それら特別図柄１３Ａ，１３Ｂ，１３Ｃは、例えば、「０」〜「９」の数字を表記した複数種類のもので構成されており、通常は、各特別図柄１３Ａ，１３Ｂ，１３Ｃごと、所定の種類のものが停止表示されている。そして、特図判定が行われると、これら３つの特別図柄１３Ａ，１３Ｂ，１３Ｃが、変動表示（上下方向にスクロール表示）され、当否判定結果に基づいて所定時間後に、例えば、左、中、右の順で各特別図柄１３Ａ，１３Ｂ，１３Ｃが停止表示される。このとき、大当りの場合に、例えば、全ての特別図柄１３Ａ，１３Ｂ，１３Ｃが同じ図柄、即ち、ゾロ目になり、外れの場合には、ゾロ目以外の組み合わせで停止表示される。なお、特図判定報知演出は、図１に示した遊技領域Ｒ１外のＬＥＤ３９群の点灯パターンによっても行われる。
【００４８】
本実施形態のパチンコ遊技機は、特図判定で当り（これを、適宜「大当り」という）になる確率が高い確変状態と、確変状態より特図判定で当りになる確率が低い非確変状態とに切り替わるようになっている。具体的には、第１及び第２の始動入賞口１４Ａ，１４Ｂの何れに入賞した場合も、その入賞時が確変状態か非確変状態かに拘わらず、特図判定を行ったときが確変状態であれば大当りになる確率は１／１００、非確変状態であれば大当りになる確率は１／４００に設定されている。
【００４９】
そして、特図判定を行ったときには、所定の特図判定報知演出が行われてから特図判定の判定結果が報知され、その判定結果が大当りであると大当り遊技が実行される。ここで、第１始動入賞口１４Ａへの入賞に係る大当りは、５０％の確率で特典付き大当りになり、残り５０％の確率で特典無し大当りになるように設定されている。一方、第２始動入賞口１４Ｂへの入賞に係る大当りは、１００％の確率で特典付き大当りになるように設定されている。
【００５０】
大当りになると、その大当りが特典付き大当りか特典無し大当りかに拘わらず１６ラウンドで構成された大当り遊技が実行され、それら１６ラウンドのうち１〜１３，１５のラウンドでは第１大入賞口１５が開き、１４，１６のラウンドで第２大入賞口３１が開く。但し、１４〜１６のラウンドにおける第１大入賞口１５及び第２大入賞口３１の開放時間は、特典付き大当りか特典無し大当りかによって異なる。また、大当りが特典付き大当りか特典無し大当りかに拘わらず、大当り遊技後には時短状態になるが、特典付き大当りの方が時短状態は長くなる。それに加えて、大当り遊技中に、第２大入賞口３１内の入賞球がＶ入賞孔４５Ｂを遊技球が通過した場合に、その大当り遊技後に確変状態になる。
【００５１】
ここで、特典付き大当りで大当り遊技が実行されたときには、何れのラウンドも第１大入賞口１５又は第２大入賞口３１の開放時間が例えば３０秒間となり、多くの遊技球が第１大入賞口１５及び第２大入賞口３１に入賞可能になる。一方、特典無し大当りで大当り遊技が実行されたときには、１〜１３のラウンドでは第１大入賞口１５の開放時間が例えば３０秒間になるが、１４〜１６のラウンドでは第１大入賞口１５及び第２大入賞口３１の開放時間が例えば０．０４秒間となり、第１大入賞口１５及び第２大入賞口３１への入賞が極めて困難になる。従って、実質的に、特典付き大当りで大当り遊技が実行されたときにのみ第２大入賞口３１に入賞可能になる。それに加えて、特典無し大当りではスライド蓋４６は第２大入賞口３１の開放時間に遊技球が入賞してもＶ入賞孔４５Ｂにほとんど入らないタイミングで開閉するので、例え第２大入賞口３１Ｖに入賞したとしても、Ｖ入賞孔４５Ｂへ入賞して大当り遊技後に確変状態になるのは極めて稀である。
【００５２】
よって、特典無し大当りで大当り遊技が実行されたときには、実質的に第２大入賞口３１への入賞が不可能になるので、大当り遊技後に時短状態でかつ非確変状態（これを「低確時短状態」という）になる。一方、特図判定により特典付き大当りを引き当てたときには、その大当りによる大当り遊技中に、第２大入賞口３１への入賞球がＶ入賞孔４５Ｂを通過したときに、その大当り遊技後に時短状態でかつ確変状態（これを「高確時短状態」という）になり、その大当りによる大当り遊技中に、第２大入賞口３１への入賞球がＶ入賞孔４５Ｂを通過しなかったときは、その大当り遊技後に低確時短状態になる。また、高確時短状態になってからは、所定複数回（例えば、１６１回）連続して特図判定で外れになったときには非時短状態でかつ非確変状態（これを「通常状態」という）に戻る。一方、低確時短状態では、所定複数回（例えば、１００回）連続して特図判定で外れになったときに通常状態に戻る。
【００５３】
次に、本実施形態のパチンコ遊技機の作用効果について説明する。本実施形態のパチンコ遊技機では、高確時短状態にすると第２始動入賞口１４Ｂの可動扉１４Ｃが開き易くなり、更に通常よりも大当りし易いため多くの遊技球が排出されるが、時短状態でないときには第２始動入賞口１４Ｂはほとんど開かないので、遊技者は、まずは第１始動入賞口１４Ａへの入賞を狙って遊技を行う。そして、遊技領域Ｒ１のうち表示装飾枠２３より左側の側部領域に遊技球が流下した方が、右側の側部領域を流下するより第１始動入賞口１４Ａに入賞し易いので、遊技者は、最初は、遊技球が左の側部領域を流下するように操作ノブ（図示せず）を操作する、所謂、左打ち遊技を行う。そして、第１始動入賞口１４Ａへの入賞による特図判定で大当りとなるまで左打ち遊技を行い、大当りが特典付き大当りになると大当り後の遊技状態が、今度は、遊技球が左の側部領域を流下して第１始動入賞口１４Ａに入賞する可能性より、遊技球が右の側部領域を流下して第２始動入賞口１４Ｂに入賞する可能性の方が遊技者に有利となり、しかも、第２始動入賞口１４Ｂに入賞すれば、大当りとなったときには第１始動入賞口１４Ａよりも第２始動入賞口１４Ｂに入賞した方が、特典付き大当りになる可能性が高く構成されているので、遊技球が右の側部領域を流下するように操作ノブ（図示せず）を操作する、所謂、右打ち遊技を行う。そして、右打ち遊技を続けると、特典付き大当りが多く発生して、多くの賞球の獲得が可能になる。
【００５４】
右打ち遊技を行い、遊技球が第２始動入賞口１４Ｂに入賞して特典付き大当りになると、開閉扉３２が、上述の如く、１４，１６ラウンドに３０秒間ずつ開き、第２大入賞口３１に遊技球が入賞可能になる。ここで、本実施形態のパチンコ遊技機では、第２大入賞口３１の開閉扉３２が開状態になると、開閉扉３２における傾斜状態の入賞ガイド面３２Ｇと、第２大入賞口３１の上側開口縁から奥側に向かって下るように傾斜した入賞口内上ガイド面３０Ｎとの間隔が遊技球が１つずつ通過可能な大きさになるので、単位時間当たりに第２大入賞口３１に入り込む遊技球の数のばらつきが抑えられ、しかも、入賞口内上ガイド面３０Ｎと傾斜状態の入賞ガイド面３２Ｇとが少なくとも一部が平行な状態で対向若しくは略平行（±１０度以内）で対向するので、第２大入賞口３１への遊技球の取り込み速度のばらつきも抑えられる。これらにより、単位時間当たりの第２大入賞口３１への最大入賞数のばらつきが従来より小さく抑えることができ、入賞に対する遊技者への特典のばらつきも抑えられる。さらに、入賞ガイド面３２Ｇの下端部と入賞口内上ガイド面３０Ｎの上端部とが、対向する平行対向部３２Ｚ，３０Ｚの大きさが、遊技球の直径の０．５倍以上になっているので、第２大入賞口３１への遊技球の取り込み速度のばらつきがより一層抑えられ、球詰まりを抑制することが可能となる。
【００５５】
また、平行対向部３２Ｚ，３０Ｚ同士の間隔が遊技球の直径の１．２〜１．８倍なので、遊技球がスムーズに通過することができ、さらに、入賞口内下ガイド面３０Ｊの傾斜角が入賞ガイド面３２Ｇに比べて僅かに水平に近くなっているので、遊技球の第２大入賞口３１奥側への取り込み速度が抑えられ、単位時間当たりの第２大入賞口３１への最大入賞数のばらつきがより一層抑えられる。
【００５６】
［第２実施形態］
本実施形態のパチンコ遊技機を、図８に基づいて説明する。前記第１実施形態では、釘９０Ｓと張出部９６からなる第１傾斜ガイド部９７によって案内された遊技球が、第２傾斜ガイド部２５Ａによって第２大入賞口３１側へと案内されていた。本実施形態では、前記第１実施形態より遊技領域Ｒ１のうちサイド突部３０と蛇行ガイド部２３Ｅとの間の横幅が広くなっていて、前記第１実施形態で第２大入賞口３１の左下でかつ第１大入賞口１５の真上に配置されていた第２始動ゲート１８Ｂが、サイド突部３０と蛇行ガイド部２３Ｅとの間でかつ開放状態の開閉扉３２の略真上となる位置に配置されている。また、第２始動ゲート１８Ｂの下方では、表示装飾枠２３がガイドレール１２側に突出して装飾枠サイド突部２７を形成し、装飾枠サイド突部２７の上方には第２大入賞口３１に向けて傾斜した、本発明の「流下傾斜ガイド」としての湾曲部２７Ａが形成されている。
【００５７】
本実施形態では、第２始動ゲート１８Ｂによって、遊技領域Ｒ１のうちサイド突部３０と蛇行ガイド部２３Ｅとの間が３つの流下経路に分割され、表示装飾枠２３側の流下経路を流下する遊技球が湾曲部２７Ａによって第２大入賞口３１側へと案内される。このような構成にすることで、前記第１実施形態と同様の効果を奏することができると共に、遊技領域Ｒ１のうちサイド突部３０と蛇行ガイド部２３Ｅとの間の遊技球の流れに変化を生じさせることができ、遊技の趣向性を向上させることが可能となる。
【００５８】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５９】
（１）前記実施形態の開閉扉３２は、閉状態ではほぼ直立姿勢であったが、図９（Ａ），（Ｂ）に示すサイド突部３０Ｖ及び開閉扉３２Ｖのように、開閉扉が閉状態のときにサイド突部側に傾いている構成であってもよいし、図１０（Ａ），（Ｂ）に示すサイド突部３０Ｖ２及び開閉扉３２のように、サイド突部の反対側に傾いている構成であってもよい。ここで、閉状態のときに開閉扉がサイド突部側に傾いている構成であっても、開閉扉３２Ｖのように第１扉構成壁３２Ａをシャフト挿通部の反対側まで延長し、開状態になるときには第２扉構成壁３２Ｂとサイド突部３０Ｖ２に設けた第１ストッパ３０Ｅ２が当接するように構成することで、平行対向部３２Ｚ，３０Ｚを形成することが可能となる。
【００６０】
（２）前記実施形態では、パチンコ遊技機に本発明を適用していたが、遊技機であれば、コイン遊技機やスロットマシン、アレンジボール等に備えてもよい。
【００６１】
（３）前記実施形態の入賞ガイド面３２Ｇは、平坦な傾斜面であったが、例えば、湾曲した面であってもよい。
【００６２】
（４）前記実施形態のサイド突部３０は、遊技領域Ｒ１のうち右側の側部領域のガイドレール１２側に設けられていたが、表示装飾枠２３側に設けてもよいし、左側の側部領域に設けてもよく、特に場所の限定はしない。
［上記実施形態及び上記他の実施形態の構成のまとめ］
上記実施形態及び上記他の実施形態には、以下の［１］〜［７］の構成が含まれている。
［１］
遊技球が流下する遊技領域を前面に有した遊技板と、
前記遊技板の前面から突出した入賞用突部と、
前記入賞用突部に形成されて側方に向かって開口した入賞口に開閉扉を設けてなる可変入賞部とを備え、
前記開閉扉が下端部を中心に回動し、通常は、前記入賞口への遊技球の入賞を規制する閉状態に保持され、予め設定された所定条件が成立したときに前記開閉扉が側方に倒れた開状態となって前記開閉扉が有する入賞ガイド面が前記入賞口に向かって下る傾斜状態になり、その入賞ガイド面で遊技球を前記入賞口へと案内する遊技機において、
前記入賞用突部のうち前記入賞口の奥側には、前記入賞口の上側開口縁から奥側に向かって下るように傾斜して前記傾斜状態の前記入賞ガイド面と略平行な状態で対向する或いは少なくとも一部が平行な状態で対向すると共に、その入賞ガイド面との間隔が遊技球が１つずつ通過可能な大きさになる入賞口内上ガイド面が設けられていることを特徴とする遊技機。
［２］
前記入賞口内上ガイド面の上端部と前記入賞ガイド面の下端部とに、前記入賞ガイド面が前記傾斜状態になったときに略平行或いは少なくとも一部が平行に対向する平行対向部がそれぞれ設けられ、前記入賞口内上ガイド面の傾斜方向における前記平行対向部の大きさが遊技球の直径の０．５倍以上であることを特徴とする［１］に記載の遊技機。
［３］
前記入賞ガイド面が前記傾斜状態になったときの前記平行対向部同士の間隔が、遊技球の直径の１．２〜１．８倍であることを特徴とする［２］に記載の遊技機。
［４］
前記入賞用突部のうち前記入賞口の奥側には、前記傾斜状態の前記入賞ガイド面の延長上に配置されると共に前記入賞口の下側開口縁から奥側に向かって下るように傾斜しかつ、その傾斜角が前記入賞ガイド面に比べて僅かに水平に近くなっている入賞口内下ガイド面を備えたことを特徴とする［１］乃至［３］の何れか１に記載の遊技機。
［５］
前記入賞口内上ガイド面と前記入賞口内下ガイド面との間隔は、遊技球の直径の１．２〜１．８倍であることを特徴とする［４］に記載の遊技機。
［６］
前記入賞用突部のうち前記入賞口の下側の側面構成壁の上端部を外側に折り曲げてなり、上面が前記入賞口内下ガイド面になった入賞口下側突片と、
前記開閉扉の回動中心に対して前記開閉扉とは反対側に突出し、前記開閉扉と一体に回動するストッパ突壁と、
前記入賞口下側突片の下面に形成され、前記開閉扉が前記開状態になったときに前記ストッパ突壁が当接するストッパ受部とを備えたことを特徴とする［４］又は［５］に記載の遊技機。
［７］
前記遊技領域には、前記入賞口に対して斜め上方位置から臨み、流下してきた遊技球を受けて前記傾斜状態の前記入賞ガイド面に対して斜め上方位置から遊技球を向かわせる流下傾斜ガイドを備えたことを特徴とする［１］乃至［６］の何れか１に記載の遊技機。
［１］の遊技機では、入賞用突部のうち入賞口の奥側には、入賞口の上側開口縁から奥側に向かって下るように傾斜して傾斜状態の入賞ガイド面と略平行な状態で対向する或いは少なくとも一部が平行な状態で対向すると共に、その入賞ガイド面との間隔が遊技球が１つずつ通過可能な大きさになる入賞口内上ガイド面が設けられていることによって、球詰まりを抑制することが可能となる。
［２］の遊技機のように、入賞口内上ガイド面と入賞ガイド面のうち略平行或いは少なくとも一部が平行に対向する平行対向部の大きさが、入賞口内上ガイド面の傾斜方向で遊技球の直径の０．５倍以上であれば、入賞口への遊技球の取り込み速度のばらつきを抑えることができる。また、［３］の遊技機のように、入賞ガイド面が傾斜状態になったときの平行対向部同士の間隔が遊技球の直径の１．２〜１．８倍であれば、遊技球がスムーズに通過することができる。さらに、［４］の遊技機のように、入賞口の奥側における傾斜状態の入賞ガイド面の延長上に、奥側に向かって下るように傾斜しかつ、その傾斜角が入賞ガイド面に比べて僅かに水平に近くなっている入賞口内下ガイド面を備えたことで、遊技球の入賞口奥側への取り込み速度が抑えられ、単位時間当たりの可変入賞部への最大入賞数のばらつきがより一層抑えられる。また、その場合、［５］の遊技機のように、入賞口内上ガイド面と入賞口内下ガイド面との間隔は遊技球の直径の１．２〜１．８倍であることが好ましい。
［６］の構成によれば、上面が入賞口内下ガイド面になっている入賞口下側突片の下面側のストッパ受部に、開閉扉と一体に回転するストッパ突壁が当接して、開閉扉が開状態に位置決めされるので、開閉扉が開状態で傾斜状態になる入賞ガイド面と入賞口内下ガイド面との相対的角度が安定する。
［７］の構成によれば、流下傾斜ガイドから傾斜状態の入賞ガイド面に向かった遊技球は、入賞ガイド面から入賞口へとスムーズに入賞する。
【符号の説明】
【００６３】
１１    遊技板
２５Ａ    第２傾斜ガイド部（流下傾斜ガイド）
２７Ａ    湾曲部（流下傾斜ガイド）
３０，３０Ｖ，３０Ｖ２    サイド突部（入賞用突部）
３０Ｈ    入賞口下側突片
３０Ｊ    入賞口内下ガイド面
３０Ｎ    入賞口内上ガイド面
３０Ｚ，３２Ｚ    平行対向部
３１，３１Ｖ    第２大入賞口（入賞口）
３２，３２Ｖ    開閉扉
３２Ｇ    入賞ガイド面
３３    ストッパ突壁
３０Ｋ    第２ストッパ（ストッパ受部）
【図１】
0005999720.tif 000002
【図２】
0005999720.tif 000003
【図３】
0005999720.tif 000004
【図４】
0005999720.tif 000005
【図５】
0005999720.tif 000006
【図６】
0005999720.tif 000007
【図７】
0005999720.tif 000008
【図８】
0005999720.tif 000009
【図９】
0005999720.tif 000010
【図１０】
0005999720.tif 000011